(57)【要約】【課題】起動信号検出の確実性が向上された起動装置及び起動方法を提供する。【解決手段】起動装置が，識別子を記憶する記憶部と，受信信号を整流する整流部と，前記整流部で整流された受信信号を基準信号と比較して，前記受信信号からデジタル信号を生成する生成部と，前記判定部が，前記受信信号が前記識別子の情報を含まないと判定した場合に，前記基準信号を変更する基準変更部と，前記デジタル信号が前記識別子の情報を含むか否かを判定する判定部と，前記判定部が，前記受信信号が前記識別子の情報を含むと判定した場合に，電気機器の起動を指示する起動指示部と，を具備する。【選択図】図１
2010154338.tif 000002
【特許請求の範囲】
【請求項１】
識別子を記憶する記憶部と，
受信信号を整流する整流部と，
前記整流部で整流された受信信号を基準信号と比較して，前記受信信号からデジタル信号を生成する生成部と，
前記デジタル信号が前記識別子の情報を含むか否かを判定する判定部と，
前記判定部が，前記受信信号が前記識別子の情報を含まないと判定した場合に，前記基準信号を変更する基準変更部と，
前記判定部が，前記受信信号が前記識別子の情報を含むと判定した場合に，電気機器の起動を指示する起動指示部と，
を具備することを特徴とする起動装置。
【請求項２】
前記整流部で整流された受信信号を増幅する増幅部をさらに具備し，
前記生成部が，前記増幅部で増幅された受信信号を前記基準信号と比較して，前記受信信号からデジタル信号を生成する，
ことを特徴とする請求項１記載の起動装置。
【請求項３】
前記増幅部または前記整流部の利得が可変である，
ことを特徴とする請求項１または２に記載の起動装置。
【請求項４】
前記基準変更部によって変更された基準信号の強度が所定の値以上の場合に，前記増幅部または前記整流部の利得を低減する利得低減部，をさらに具備する，
ことを特徴とする請求項３記載の起動装置。
【請求項５】
前記デジタル信号のＨｉｇｈ状態が所定数以上連続する場合に，前記増幅部または前記整流部の利得を低減する利得低減部，をさらに具備する，
ことを特徴とする請求項３に記載の起動装置。
【請求項６】
前記整流部が，
第１のゲート端子と，前記受信信号が印加される第１のソース端子と，を有する第１のＦＥＴと，
第２のゲート端子と，第２のソース端子と，前記第１のソース端子に接続されるドレイン端子と，を有する第２のＦＥＴと，
前記第１のゲート端子と前記第１のソース端子の間に，第１の制御電圧を印加する第１の電圧印加部と，
前記第２のゲート端子と前記第２のソース端子の間に，第２の制御電圧を印加する第２の電圧印加部と，を有し，
前記第１，第２の制御電圧を調節することで，前記整流部の利得が変化する，
ことを特徴とする請求項３乃至５のいずれか１項に記載の起動装置。
【請求項７】
前記基準変更部が前記基準信号を繰り返し変更する，
ことを特徴とする請求項１乃至６のいずれか１項に記載の起動装置。
【請求項８】
前記基準変更部によって変更された基準信号の強度が所定の第２の値より小さい場合に，前記基準変更部による前記基準信号の変更の繰り返しが停止される，
ことを特徴とする請求項７記載の起動装置。
【請求項９】
前記増幅部または前記整流部の利得が可変であり，
前記基準変更部によって変更された基準信号の強度が所定の第２の値より大きい場合に，前記増幅部または前記整流部の利得を増加する利得増加部，をさらに具備する，
ことを特徴とする請求項７記載の起動装置。
【請求項１０】
前記利得増加部による利得の増加後に，前記基準変更部が前記基準信号を変更する，
ことを特徴とする請求項９記載の起動装置。
【請求項１１】
受信信号を整流するステップと，
前記整流された受信信号を基準信号と比較して，前記受信信号からデジタル信号を生成するステップと，
前記デジタル信号が所定の識別子の情報を含むか否かを判定するステップと，
前記受信信号が前記識別子の情報を含まないと判定された場合に，前記基準信号を変更するステップと，
前記受信信号が前記識別子の情報を含むと判定された場合に，電気機器の起動を指示するステップと，
を具備することを特徴とする起動方法。
【発明の詳細な説明】
【技術分野】
【０００１】
本発明は，電気機器装置を起動する起動装置および起動方法に関する。
【背景技術】
【０００２】
無線基地局および無線端末を用いる無線ＬＡＮシステムが用いられている。無線基地局の低消費電力化のため，端末との通信が所定時間中断された場合に，無線基地局の大部分の機能を停止させる技術が開示されている（特許文献１参照）。端末との通信が所定時間中断された場合，無線基地局の一部のブロックのみに電力が供給され，他のブロックには電力が供給されない。無線基地局がWake Up信号を受信することで，他のブロックに電力が供給される。ここで，干渉波が存在する環境においても，Wake Up信号を正確に認識するため，受信レベルを所定以上のレベルに設定される。
【特許文献１】特開２００１−１５６７８８号公報
【発明の開示】
【発明が解決しようとする課題】
【０００３】
しかしながら，上記技術では，起動のための信号（例えば，Wake  Up信号）を検出するための基準レベルを設定する方法が示されない。この基準レベルを高く設定し過ぎた場合，他のブロックへの電力の供給停止が継続する。逆に，基準レベルを低く設定し過ぎた場合，干渉波によって，他のブロックに電力が供給される。このように，所定レベルを適切に設定しないと，電力供給の制御の確実性が低減する。
【０００４】
この発明は，起動信号検出の確実性が向上された起動装置及び起動方法を提供することを目的とする。
【課題を解決するための手段】
【０００５】
本発明の一態様に係る起動装置は，識別子を記憶する記憶部と，受信信号を整流する整流部と，前記整流部で整流された受信信号を基準信号と比較して，前記受信信号からデジタル信号を生成する生成部と，前記デジタル信号が前記識別子の情報を含むか否かを判定する判定部と，前記判定部が，前記受信信号が前記識別子の情報を含まないと判定した場合に，前記基準信号を変更する基準変更部と，前記判定部が，前記受信信号が前記識別子の情報を含むと判定した場合に，電気機器の起動を指示する起動指示部と，を具備する。
【０００６】
本発明の一態様に係る起動方法は，受信信号を整流するステップと，前記整流された受信信号を基準信号と比較して，前記受信信号からデジタル信号を生成するステップと，前記デジタル信号が所定の識別子の情報を含むか否かを判定するステップと，前記受信信号が前記識別子の情報を含まないと判定された場合に，前記基準信号を変更するステップと，前記受信信号が前記識別子の情報を含むと判定された場合に，電気機器の起動を指示するステップと，を具備する。
【発明の効果】
【０００７】
本発明によれば，起動信号検出の確実性が向上された起動装置及び起動方法を提供できる。
【発明を実施するための最良の形態】
【０００８】
以下に，図面に基づいて，本発明の実施形態に係る電気機器起動システムを説明する。
【０００９】
（第１の実施形態）
図１は，本発明の第１の実施形態に係る電気機器起動システム１００を表すブロック図である。電気機器起動システム１００は，送信装置１１０，受信装置１２０，電源制御装置１３０，電気機器１４０を有する。
【００１０】
送信装置１１０は，例えば，無線電波を用いたリモートコントロール装置(以下，無線リモコンと記載)である。受信装置１２０は，送信装置１１０からの送信信号（起動信号等）を受信し，起動信号を受信したと判断すると，電気機器１４０の起動を指示する（指示信号の出力）。電源制御装置１３０は，受信装置１２０からの指示信号により，電気機器１４０と外部電源間の接続をＯＮ／ＯＦＦする。その結果，電気機器１４０が起動する。電気機器１４０は，電気機器一般，例えば，テレビジョン受像機である。電気機器起動システム１００は，無線リモコン（送信装置１１０）を用いた家電機器等（電気機器１４０）の起動および起動後のデータ通信を行なうデータ通信システムとして利用できる。
【００１１】
送信装置１１０から受信装置１２０に送られる送信信号（起動信号等）はオンオフキーイングとする。即ち，送信信号の電力の有無（送信の有無）によって，デジタル情報（Ｈｉｇｈ状態（１）／Ｌｏｗ状態（０））が表される。送信信号の送信の有無を時間的に変化させることで，複数ビットの信号を送信できる。受信装置１２０は，受信信号の電力の有無の時間的変化によって，複数ビットの信号を検出できる。
【００１２】
ここで，送信装置１１０からの送信信号（所望波）に，干渉波が重畳されて，受信装置１２０で受信される場合がある。例えば，送信装置１１０（無線リモコン）を操作している人が携帯電話で通話していた場合，受信装置１２０は送信装置１１０からの電波（所望波）と携帯電話からの電波（干渉波）の双方を受信する。特に，送信装置１１０，携帯電話それぞれから発する電波の周波数の差が小さい場合，受信装置１２０の後述のフィルタ１２４によって，携帯電話からの電波を遮断することが困難となる。また，受信装置１２０の価格低減等の理由で，受信装置１２０がフィルタ１２４を備えない場合，周波数差が大きくても，携帯電話からの電波を遮断することが困難となる。これらの場合，受信装置１２０は携帯電話からの干渉波とともに所望波を受信することになり，所望波を正しく受信できない。この場合，干渉波のレベルが自明ではないため，受信レベルの適切な設定が困難となる。
【００１３】
ここで，干渉波が所望波の受信に与える影響を説明する。干渉波の周波数をｆｕ，振幅をＡとし，所望波の周波数をｆＤ，振幅をｋ・Ａとする。干渉波のみが存在した場合の受信電力は（Ａ２／２）であり，干渉波と所望波の双方が存在した場合の受信電力は（｛１＋ｋ２｝・Ａ２／２）である。
【００１４】
干渉波自体の電力が判っていれば，所望波の電力が干渉波の電力に比べて小さい場合でも（ｋが１より小さい場合でも），所望波の検出が可能である。整流器１２２は，一般的に，受信電力に対応する（例えば，比例）出力電圧を発生するので，整流器１２２の出力を検知することにより，干渉波の有無に関らず，所望波の信号を検知できる。ここでは，干渉波のみの場合の整流器１２２の出力電圧はＡ／ＳＱＲ（２）とする。このとき，干渉波と所望波が存在した場合の出力電力はＳＱＲ（ｋ２＋１）´Ａ／ＳＱＲ（２）である。これら２値の間に，しきい値（オフセット電圧）を設定すれば所望波を検出できる。
【００１５】
一方，干渉波のみを受信した場合に，所望波が到来したと，受信装置１２０が判断する可能性がある。これを避けるため，電気機器１４０宛ての信号の有無を，電気機器１４０または電気機器１４０の起動制御を行う受信装置１２０に対し割り当てられた識別子（以下ＩＤ（Identifier）と記載する）により判断する。干渉波の存在下で所望波を受信するには，ＩＤ識別と干渉波の大きさの検知が有効である。以下，この詳細を説明する。起動信号は，ＩＤおよび起動を指示する情報を含む。
【００１６】
受信装置１２０は，アンテナ１２１，整流器１２２，増幅器１２３，フィルタ１２４，判別器１２５，制御部１２６を有する。整流器１２２〜判別器１２５は，受信装置１２０のアナログフロントエンド部１２９であり，受信信号をアナログ信号として処理する。
【００１７】
アンテナ１２１は，無線信号（所望波，干渉波）を受信する。
整流器１２２は，アンテナ１２１で受信された無線信号（受信信号）を整流する。
増幅器１２３は，整流器１２２で整流された受信信号を増幅する。後述のように，増幅器１２３は利得制御機能を有する。
【００１８】
フィルタ１２４は，所望波の周波数と異なる周波数の信号を低減するためのバンドパスフィルタまたはローパスフィルタである。即ち，フィルタ１２４は，必ずしも低周波の信号を遮断しなくても良い。フィルタ１２４は，例えば，キャパシタのみまたは抵抗とキャパシタから構成できる。但し，それに限るものではない。
【００１９】
判別器１２５は，フィルタ１２４を通過した受信信号のＨ（Ｈｉｇｈ）／Ｌ（Ｌｏｗ）を判定して，デジタル信号を生成する（アナログ−デジタル変換）。即ち，判別器１２５は，受信信号とオフセット電圧（基準信号，基準電圧）とを比較することで，Ｈ（１）／Ｌ（０）を判定する。受信信号の電圧がオフセット電圧より大きければ，受信信号がＨ（１）状態であると判定される。受信信号の電圧がオフセット電圧より小さければ，受信信号がＬ（０）状態であると判定される。ここで，判別器１２５のオフセット電圧を変化することが可能である。オフセット電圧を調節することで，干渉波の大きさの変化に対応することが可能となる。
【００２０】
判別器１２５は，次の生成部として機能する。
・整流部で整流された受信信号を基準信号と比較して，前記受信信号からデジタル信号を生成する生成部
【００２１】
制御部１２６は，受信信号に基づき，ＩＤを認証し，データを解析する。制御部１２６は，増幅器１２３および判別器１２５を制御する。制御部１２６は，増幅器１２３の利得，および判別器１２５のオフセット電圧を制御できる。
【００２２】
制御部１２６は，次の判定部，基準変更部，起動指示部，利得低減部，利得増加部として機能する。
・デジタル信号が前記識別子の情報を含むか否かを判定する判定部
・判定部が，前記受信信号が前記識別子の情報を含まないと判定した場合に，前記基準信号を変更する基準変更部
このとき，受信信号の強度に基づいて，基準信号を変更することができる。例えば，受信信号の強度が大きくなると，基準信号の強度が大きくなるように，基準信号の強度が変更される。
なお，利得増加部による利得の増加後に，基準変更部は，前記基準信号を変更する
・判定部が，前記受信信号が前記識別子の情報を含むと判定した場合に，電気機器の起動を指示する起動指示部
・基準変更部によって変更された基準信号の強度が所定の値以上の場合に，前記増幅部または前記整流部の利得を低減する利得低減部
・基準変更部によって変更された基準信号の強度が所定の第２の値より大きい場合に，前記増幅部または前記整流部の利得を増加する利得増加部
【００２３】
制御部１２６は，メモリ１２７，タイマ１２８を有する。メモリ１２７は，ＩＤを記憶する。メモリは，識別子を記憶する記憶部として機能する。タイマ１２８は，時間間隔を計測する。
【００２４】
図２は，受信装置１２０のアナログフロントエンド部１２９での入力レベルの一例を示す表である。ここでは，整流器１２２は入力電力の２乗に対応する電圧が出力される仮定している。即ち，入力電力が１０ｄＢ増加すると出力電圧は２０ｄＢ増加するとしている。
【００２５】
−６０ｄＢｍの電力の所望波がアンテナ１２１から入力されたとする。増幅器１２３，フィルタ１２４それぞれの利得を１０倍，１倍とすると，整流器１２２，増幅器１２３，フィルタ１２４それぞれから出力される信号の電圧（増幅器１２３，フィルタ１２４，判別器１２５それぞれに入力される信号の電圧）は，０．２ｍＶ，２ｍＶ，２ｍＶである。
【００２６】
−４０ｄＢｍの電力の干渉波がアンテナ１２１から入力されたとき，整流器１２２，増幅器１２３，フィルタ１２４それぞれから出力される信号の電圧は，２０ｍＶ，２００ｍＶ，２００ｍＶである。−３０ｄＢｍの電力の干渉波がアンテナ１２１から入力されとき，整流器１２２，増幅器１２３，フィルタ１２４それぞれから出力される信号の電圧は，２００ｍＶ，２Ｖ，２Ｖである。
【００２７】
判別器１２５が，２ｍＶの電圧印加の有無を判別する場合，１ｍＶをしきい電圧とするようにオフセット電圧を調節する。オフセット電圧の初期値が０ｍＶの場合，オフセット電圧を１ｍＶとする。オフセット電圧の初期値が−２ｍＶの場合，オフセット電圧の補償のための＋２ｍＶに電圧印加の有無の判別に必要な１ｍＶを加算して，オフセット電圧を３ｍＶとする。
【００２８】
ここに−４０ｄＢｍの干渉波が到来した場合，判別器１２５の入力での電圧は２００ｍＶとなる。この干渉波により生じた２００ｍＶの電圧を判別器１２５のオフセット電圧とすることで，所望波のＨ／Ｌの識別が可能となる。すなわち，干渉波が検知されたとき，判別器１２５のオフセット電圧を調整する。その結果，干渉波により発生された直流成分が除去され，所望波の検知が可能となる。なお，干渉波を検出する手法については，後で説明する。
【００２９】
一方，干渉波の電力が−３０ｄＢｍの場合，判別器１２５の入力での電圧は２Ｖとなる。アナログフロントエンド部１２９が，例えば，ＣＭＯＳで構成される場合，電源電圧を例えば１．５Ｖ以下にしなければならず，２Ｖのオフセット電圧の補償は困難である。この結果，所望波の受信が困難となる。
【００３０】
このため，後述のように，オフセット電圧が飽和（オーバーフロー）したと判断されたら，増幅器１２３の利得が低減される。例えば，増幅器１２３の利得を０ｄＢに変えれば，判別器１２５の入力部には２００ｍＶが印加され，オフセット電圧の補償が可能になる。すなわち，干渉波により発生された直流成分が除去され，所望波の検出が可能になる。ただし，この場合，所望波の電力も２０ｄＢ下がるため，所望波により発生する電圧は０．２ｍＶとなる。したがって，所望波を検出するには所望波の入力電力は−５０ｄＢｍ必要となる。これは干渉波対策のため感度が劣化したことになるが本手法が有用であることには変わりない。なお，オフセット電圧の飽和を検出する手法について後述する。
【００３１】
以下，整流器１２２，増幅器１２３，判別器１２５の一例を示す。但し，これに限るものではない。図３は，整流器１２２および増幅器１２３の一例を表す回路図である。
【００３２】
整流器１２２はトランジスタ（ＦＥＴ： Field Effect Transistor）Ｍ１，Ｍ２，キャパシタＣ１，ＣＡ，Ｃ３，スイッチＳＷ１１，ＳＷ１２，電圧源ＶＴを有する。トランジスタＭ１，Ｍ２それぞれのゲート，ソース間にキャパシタＣＡが接続される。電圧ＶＴがスイッチＳＷ１１，ＳＷ１２を介して，キャパシタＣＡに接続される。
【００３３】
スイッチＳＷ１１，ＳＷ１２は，判別器１２５の後述のスイッチＳＷ２と共に，制御部１２６によって制御される。信号を受信しないときには，スイッチＳＷ１１，ＳＷ１２が閉じられ，電圧ＶＴがキャパシタＣＡに印加され，キャパシタＣＡが充電される。信号を受信するときには，スイッチＳＷ１１，ＳＷ１２が開かれ，キャパシタＣＡの電圧がトランジスタＭ１，Ｍ２それぞれのゲート，ソース間に印加される。即ち，キャパシタＣＡは蓄電池（ゲート端子とソース端子の間に，制御電圧を印加する電圧印加部）として機能する。
【００３４】
キャパシタＣ１がＲＦ入力端子ＩＮＲＦとトランジスタＭ２のソース間に接続される。ＲＦ入力端子ＩＮＲＦはアンテナ１２１に接続される。キャパシタＣ１を介して，ＲＦ入力端子ＩＮＲＦからトランジスタＭ２にＲＦ信号（受信信号）が入力される。
キャパシタＣ３はトランジスタＭ２から出力された電荷を蓄積する。
【００３５】
トランジスタＭ１，Ｍ２は受信信号を整流する（ダイオードとして動作）。トランジスタＭ１，Ｍ２の閾値の大きさが大きくなると，トランジスタＭ１，Ｍ２での整流の際の損失が大きくなる。閾値を見かけ上小さくすることで，損失を小さくすることができる。キャパシタＣＡに電荷をチャージし，閾値電圧分の電圧を発生させることにより，閾値電圧をキャンセルすることで，損失を低減できる（利得の向上）。
【００３６】
増幅器１２３は，カレントミラー回路ＣＭ１，ＣＭ２および増幅器ＡＭＰにより構成される。カレントミラー回路ＣＭ１は，トランジスタＭ３，Ｍ４を有する。カレントミラー回路ＣＭ２は，トランジスタＭ５−Ｍ７を有する。増幅器ＡＭＰは，トランジスタＭ８−Ｍ１１を有する。増幅器１２３は，ドライブ電圧ＶＤにより動作する。
【００３７】
トランジスタＭ５（カレントミラー回路ＣＭ２の入力側）のドレイン端子に，トランジスタＭ４のドレイン端子（カレントミラー回路ＣＭ１の出力側）が接続されている。カレントミラー回路ＣＭ２の入力側に，トランジスタＭ４によるリーク電流が生じる。トランジスタＭ６は，トランジスタＭ４によるリーク電流を補償するために用いられるリーク電流源として機能する。トランジスタＭ６をカレントミラー回路ＣＭ２の出力側に接続して，カレントミラー回路ＣＭ２の入出力でのリーク電流を平衡させる（リーク電流の補償）。
【００３８】
トランジスタＭ１０，Ｍ１１はそれぞれトランジスタＭ８とＭ９の相互コンダクタンスを見かけ上制御するために用いられる。トランジスタＭ１０およびＭ１１のゲートに与えられる利得制御電圧ＶＧ１およびＶＧ２によって，増幅器ＡＭＰの利得を制御できる。例えば，判別器１２５のオフセット電圧が飽和した場合に，所定の電圧が設定され，利得が低減される。増幅された信号は，出力電圧Ｖｏとして，増幅器ＡＭＰから出力され，フィルタ１２４に入力される。
【００３９】
図４は，判別器１２５の構成の一例を示す回路図である。判別器１２５は，トランジスタＭ２０−Ｍ２３，電流源Ｉ１，およびスイッチＳＷ２を有する。トランジスタＭ２０−Ｍ２１は，差動ペアを構成する。トランジスタＭ２２−Ｍ２３は，負荷として，トランジスタＭ２０−Ｍ２１にクロスカップルされる。スイッチＳＷ２は，電流源Ｉ１の接続／非接続を設定するものであり，制御部１２６により制御される。
【００４０】
トランジスタＭ２０のゲート端子は，入力端子であり，フィルタ１２４からの出力電圧が入力される（入力電圧Ｖｉｎ）。トランジスタＭ２１のゲート端子にオフセット電圧Ｖｏｆｆが印加される。オフセット電圧Ｖｏｆｆは，制御部１２６により制御される。入力電圧ＶｉｎのＨ／Ｌを識別するときには，スイッチＳＷ２が導通し，識別された信号が信号電圧Ｖｏとして出力される。入力電圧ＶｉｎのＨ／Ｌを識別しないときは，ＳＷ２は遮断され，判別器１２５の動作が停止される。
【００４１】
（第２の実施形態）
図５は，本発明の第２の実施形態に係る電気機器起動システム２００を表すブロック図である。電気機器起動システム２００は，送信装置１１０，受信装置２２０，電源制御装置１３０，電気機器１４０を有する。受信装置２２０は，アンテナ１２１，整流器２２２，増幅器１２３，フィルタ１２４，判別器１２５，制御部１２６を有する。
【００４２】
電気機器起動システム１００と比べて，電気機器起動システム２００では，整流器１２２が整流器２２２に変更されている。整流器２２２は利得制御機能を有する。電気機器起動システム２００では，整流器２２２と増幅器１２３の双方を用いて，利得を制御できる。また，整流器１２２のみを用いて，利得を制御してもよい。電気機器起動システム１００と同様に，判別器１２５のオフセット電圧が飽和した場合に，利得が低減される。
【００４３】
ここで，整流器２２２での利得制御によって，電気機器起動システム１００の増幅器１２３での利得制御に比べ，受信感度（Ｓ（Signal）／Ｎ（Noise）比）を高くすることができる。以下，これについて説明する。
【００４４】
図６は，整流器２２２の一例を表す回路図である。整流器２２２は整流器１２２と，電圧源ＶＴＣの電圧ＶＴＣが可変であることが相違する。この結果，利得の制御が可能となる。
【００４５】
トランジスタＭ１，Ｍ２の閾値をＶＴＨとする。ＲＦ端子ＩＮＲＦから入力されるＲＦ信号（受信信号）を無変調のキャリア信号（正弦波）と仮定すると，整流器１２２はその正弦波の正成分を出力する。ここで，トランジスタＭ１，Ｍ２の閾値ＶＴＨの大きさにより，整流器２２２から出力される直流信号の電圧は変化する。
図７は，整流器２２２で整流される信号を表す図である。例えば，閾値ＶＴＣを０Ｖとした場合，図７の斜線の部分は，整流器２２２から出力されず，正弦波の正成分から斜線部分を除いた部分が出力される。一方，ＶＴＣ＝ＶＴＨに設定すれば，正弦波の正成分全部が整流されることになる。これから，ＶＴＣをＶＴＨに合わせることにより，整流器２２２の変換利得（整流効率，利得）が高くなることがわかる。
【００４６】
次に，所望波より大きな干渉波が到来した場合における，干渉波および所望波の利得の関係について説明する。図８は，無変調の干渉波の半周期分を記載した図面である。横軸は位相であり，縦軸は振幅である。整流器２２２から出力される部分（部分Ｑ）と出力されない部分の境界電圧をＶＡとする。境界電圧ＶＡの最大値をＶＴＨとする。但し，振幅をＶＴＨで規格し，境界電圧ＶＡの最大値を１とする。境界電圧ＶＡが最大値（１）の場合，部分Ｑの面積ＳＱが０となる。
【００４７】
ここでは，制御電圧ＶＴＣを閾値ＶＴＨと等しくした状態（ＶＴＣ＝ＶＴＨ），すなわち，部分Ｑの面積ＳＱが０の状態の利得を基準として，所定の閾値補償をした場合の利得を求める。θ＝ｓｉｎ−１ＶＡであり，部分Ｑの面積ＳＱは位相がθから（θ−π）の区間のｓｉｎθの面積からＶＡ＊（π−２・θ）を引いた値にほぼ等しい。境界電圧ＶＡが０の場合，部分Ｑの面積ＳＱは２となる。
【００４８】
図９は，干渉波と所望波について，（部分Ｑの面積ＳＱ）／２と境界電圧ＶＡの関係の一例を表すグラフである。このグラフでは，横軸はＶＡの値であり，縦軸は（部分Ｑの面積ＳＱ）／２を対数表示したものである。線Ｕ１，Ｄ１がそれぞれ，干渉波および所望波を表す。
【００４９】
干渉波とともに送られてきた所望波は干渉波に比べ小さいと仮定している。この場合，境界電圧ＶＡ以上の区間，すなわち，（π−２θ）の区間は信号が伝達され，２ θの区間は信号が廃棄される。したがって，利得は［（π−２θ）／ π］で近似できる。
【００５０】
図９からわかるように，干渉波Ｕ１の減衰に比べ所望波Ｄ１の減衰は小さい。これは閾値をシフトすることにより利得を調整することが可能であることに加え，干渉波の抑圧を所望波よりも大きくできることを意味する。従来の利得制御では，所望波と干渉波は同じように減衰するのに比べると，本技術を使うことにより所望波の感度，ひいてはＳ／Ｎ比が向上することになる。
【００５１】
同様に，整流器１２２の特性をｙ＝ｘ２とした場合の，（部分Ｑの面積ＳＱ）／２と境界電圧ＶＡの関係の一例を表すグラフを図１０に示す。図１０は，図９と同様な特性を示すことがわかる。
【００５２】
以上のように，整流器２２２の特性をｙ＝｜ｘ｜，ｙ＝ｘ２と仮定した場合いずれも，干渉波が大きく抑圧されることがわかる。よって，整流器２２２による利得の制御は，干渉波の抑圧に有効である。制御電圧ＶＴＣを変えることにより，利得を制御できる。
【００５３】
なお，制御電圧ＶＴＣを変えるタイミングは，干渉波により，判別器１２５の補償電圧が飽和した場合である。具体的な制御シーケンスは後で説明する。
【００５４】
（電気機器起動システム１００，２００の動作手順）
既述のように，電気機器起動システム１００，２００では，増幅器１２３，整流器１２２または２２２として，利得制御機構を備える。この結果，干渉波が存在する場合でも所望波（所望信号）の検知が可能となる。以下，利得制御のシーケンスを説明する。
【００５５】
図１１〜図１３に，電気機器起動システム１００，２００での電波状態（所望波，干渉波）を区分して示す。図１１〜図１３に示すように，電波状態として，（１）所望波のみの場合，（２）干渉波のみの場合，（３）所望波と干渉波が両方存在する場合が考えられる。
【００５６】
所望波はプリアンブル，ＩＤ情報，データというフォーマットを仮定している。プリアンブル（Ｐｒｅ）は，ＩＤ情報の区間やデータの区間を表す。なお，受信装置１２０，２２０がこれらの区間の情報を有する場合は，プリアンブルを省略できる。ＩＤの情報は，電気機器１４０または受信装置１２０を識別する識別子（Identifier）である。起動信号はＩＤの情報を含む。
【００５７】
図１４は，電気機器起動システム１００，２００の動作手順の一例を表すフロー図である。
（１）初期設定（ステップＳ１１）
パラメータが初期値に設定される。初期設定として，以下を仮定する。増幅器１２３，整流器２２２の利得を最大とし，所望波を感度よく受信できる状態とする。また，判別器１２５は回路全体のオフセット電圧を補償できるように設定されているものとする。
【００５８】
（２）電力有無の検出（ステップＳ１２）
整流器１２２または整流器２２２は，到来した電波を整流する。その結果，増幅器１２３，フィルタ１２４を介して判別器１２５の入力へ信号が伝達される。
【００５９】
判別器１２５は所定の時間間隔で信号を検出する。所定の時間間隔はタイマ１２８で管理されている。判別器１２５のスイッチＳＷ２を所定の時間間隔で導通にすることにより，信号を検出できる。ここまでの操作は電力有無の検出に相当する。
【００６０】
（３）プリアンブルの受信（ステップＳ１３）
次にプリアンブルを受信する。干渉波が無く，所望波を良好に受信している場合，プリアンブルが受信され，ＩＤ情報の区間やデータの区間を認識できる。
一方，干渉波のみの場合には，プリアンブルが受信されない。また，干渉波と所望波を同時に受信した場合にも，プリアンブルが受信されない可能性が有る。
【００６１】
プリアンブルの受信の有無に拘わらず，ＩＤの検出へ移行する。即ち，プリアンブルが受信されない場合でも，プリアンブルが受信されるまで待たず，ステップＳ１４のＩＤ検出に移行する。プリアンブルの受信を待つと，ここで処理が停止し，オフセット電圧の調整への移行が困難となるためである。
【００６２】
（４）ＩＤの検出（ステップＳ１４）
メモリ１２７に記憶されたＩＤと，受信した信号から得られたＩＤとが一致するか否かが判別される（ＩＤの検出）。干渉波が無く，所望波を良好に受信している場合，ＩＤが検出される。一方，干渉波が到来している場合（干渉波のみを受信した場合，干渉波と所望波を同時に受信した場合），ＩＤが検出されない可能性がある。
なお，ステップＳ１３でプリアンブルが受信されなかった場合，通例，ステップＳ１４においてＩＤが検出されないことになる。
【００６３】
（５）電源ＯＮ（ステップＳ１５）
ＩＤが検出された場合，電源制御装置１３０を介して，電気機器１４０の電源がオンとなる。その後，ＩＤに続くデータが読み込まれる。データの読み込みが終了したら，また電力の有無を検出するモードに戻る。
【００６４】
（６）オフセット電圧の調整（ステップＳ２１）
ＩＤが検出されない場合（干渉波が到来している場合），オフセット電圧調整へ移行する。即ち，判別器１２５のオフセット電圧が調節される。
このとき，受信信号（ここでは，干渉波）の強度に基づいて，オフセット電圧を変更することができる。例えば，受信信号の強度が大きくなると，オフセット電圧が大きくなるように，オフセット電圧が変更される。
【００６５】
（７）オフセット電圧のオーバーフローの有無の判断（ステップＳ２２）
オフセット電圧がオーバーフローしているか否かが判断される。即ち，オフセット電圧の値が上限であればオーバーフローと判断し，上限より小さければオーバーフローではないと判断する。干渉波が小さい場合，利得を最大に設定していたとしても判別器１２５のオフセット電圧はオーバーフローしない。
【００６６】
（８）プリアンブルの受信・ＩＤの検出（ステップＳ２３，Ｓ２４）
オフセット電圧がオーバーフローしていない状態でプリアンブルを受信したとき，再度ＩＤを検出するモードになる。即ち，ＩＤの検出の有無が判断される。このとき，干渉波のみではステップＳ１３と同様にＩＤが検出されない。
【００６７】
ＩＤが検出されると，ステップＳ１５と同様に，電源制御装置１３０を介して，電気機器１４０の電源がオンとなる。その後，ＩＤに続くデータが読み込まれる。データの読み込みが終了したら，ステップＳ２６に移行する。
【００６８】
（９）干渉波の有無の判断（ステップＳ２５，Ｓ２６）
干渉波の有無が判断される。オフセット電圧の初期値（Ｖｏｆｆ０）と現在設定されたオフセット電圧（Ｖｏｆｆ１）の差分（Ｖｏｆｆ１−Ｖｏｆｆ０）が計算される。この差（Ｖｏｆｆ１−Ｖｏｆｆ０）が所定の値Ｙを超えていなければ干渉波は無い（干渉波が無視できる）と判断される。この差が所定の値Ｙを超えていれば干渉波は有ると判断される。
【００６９】
干渉波は無いと判断された場合，初期設定時における電力有無検出へ移行する。一方，干渉波は有ると判断された場合（オフセット電圧の初期値と設定されているオフセット電圧の差分が所定値Ｙを超えている場合）所定時間Ｔの間，この状態を維持する。
この間，プリアンブルと認識できる信号があればＩＤ検出を行なうものとする。プリアンブルと認識できる信号がなければ所定時間Ｔ後にオフセット電圧調整へ移行する。
【００７０】
（１０）利得の低減（ステップＳ２８）
ステップＳ２２で，例えば，干渉波の電力が大きく，オフセット電圧がオーバーフローしていると判断された場合，利得を低減するモードに移行する。利得の下げ方は現状の利得に対し所定分低減するものとする。例えば，メモリ１２７に設定利得が全て記録されており，順番に下げていくように制御されるものとする。
【００７１】
所定分利得を下げたのち，再度オフセット電圧調整を行なう。もし，オーバーフローしていれば，逐次利得を下げ，オーバーフローしなくなるまで利得を低減する。オーバーフローでなくなれば，プリアンブル受信へと移行する。以下，干渉波が小さい場合と同様な操作を行なう。干渉波がなくなれば，オフセット電圧の初期値との差分が所定の値Ｙ以下になるので，初期の電力有無の検出モードに戻る。
【００７２】
干渉波のみを受信する場合と，干渉波と所望波を同時に受信する場合に区分して，以上の手順を説明する。
Ａ．干渉波のみを受信する場合
以下，干渉波のみを受信する場合を説明する。
干渉波のみを受信する場合，ＩＤが検出されず（ステップＳ１３），オフセット電圧が調整される。このとき，干渉波が比較的小さければ，判別器１２５のオフセット電圧はオーバーフローしない（ステップＳ２２）。このように，干渉波を受信する場合，干渉波の強度に対応するように，オフセット電圧が調整される。
【００７３】
ステップＳ２２で，例えば，干渉波の電力が大きく，調整後のオフセット電圧がオーバーフローしていると判断された場合，利得が低減され（ステップＳ２８），その後再度オフセット電圧が調整される（ステップＳ２１）。オフセット電圧がオーバーフローしなくなるまで利得が低減される。このように，オフセット電圧の変更のみでは対応できない強度を有する干渉波を受信する場合でも，利得を調整することで，干渉波の強度に対応できる。
【００７４】
干渉波のみを受信する場合，ステップＳ２４においても，ステップＳ１３と同様にＩＤを検出できない。このため，電気機器１４０の電源はＯＦＦ状態を維持する（ステップＳ２７）。
【００７５】
ステップＳ２５において，干渉波が無いと判断された場合（例えば，携帯電話での通信が終了した場合），初期設定時における電力有無検出へ移行する。一方，干渉波が有ると判断された場合（オフセット電圧の初期値と設定されているオフセット電圧の差分が所定値Ｙを超えている場合）所定時間Ｔの間，この状態を維持する。
【００７６】
Ｂ．干渉波と所望波を同時に受信する場合
干渉波と所望波を同時に受信する場合について説明する。
干渉波と所望波を同時に受信する場合も干渉波によりＩＤ検出ができないため（ステップＳ１３），オフセット電圧が調整される可能性がある（ステップＳ２１）。このとき，干渉波が比較的小さければ，判別器１２５のオフセット電圧はオーバーフローしない（ステップＳ２２）。このように，所望波と干渉波を受信する場合でも，干渉波の強度に対応するように，オフセット電圧が調整される。
【００７７】
ステップＳ２２で，例えば，干渉波の電力が大きく，調整後のオフセット電圧がオーバーフローしていると判断された場合，利得が低減され（ステップＳ２８），その後再度オフセット電圧が調整される（ステップＳ２１）。オフセット電圧がオーバーフローしなくなるまで利得が低減される。このように，所望波と，オフセット電圧の変更のみでは対応できない強度を有する干渉波とを受信する場合でも，利得を調整することで，干渉波の強度に対応できる。
【００７８】
干渉波と所望波を同時に受信する場合，ステップＳ２４において，ＩＤの検出が可能となる。ＩＤが検出されれば，電源制御装置１３０を介して電気機器１４０の電源がオンになり，データ通信がなされる（ステップＳ２７）。データ通信が終了すれば所定時間Ｔの間この状態で動作をする（ステップＳ２６）。この間に再びプリアンブル信号を受信すればＩＤを検出することになる。
【００７９】
ステップＳ２５において，干渉波が無いと判断された場合（例えば，携帯電話での通信が終了した場合），初期設定時における電力有無検出へ移行する。
【００８０】
図１５は，電気機器起動システム１００，２００の動作手順の一例を表すフロー図である。図１４での手順と比較して，図１５の手順では，ステップＳ２２が除外され，ステップＳ３４が追加されている。図１４，図１５は，オーバーフロー検出の手法が異なる。即ち，図１４ではオフセット電圧によりオーバーフローと判断している。一方，図１５では，検出されたＩＤが「１１１…」のときオーバーフローと判断する。図１５の手順は，ＩＤ検出後に利得を低減するため，図１４の手法に比べて，利得調整に時間がかかる。しかし，高速な反応を要求されるアプリケーションではない場合に適用できる。
【００８１】
図１６は，電気機器起動システム１００，２００の動作手順の一例を表すフロー図である。図１４での手順と比較して，図１６の手順では，ステップＳ４６が追加されている。即ち，所定時間Ｔの間状態を維持したのち（ステップＳ２６），オフセット電圧の調整前に利得を最大値，すなわち，初期状態とする（ステップＳ４６）。このようにすることで，利得を低減するだけではなく，低減後に増加させることも可能になる。
【００８２】
（その他の実施形態）
本発明の実施形態は上記の実施形態に限られず拡張，変更可能であり，拡張，変更した実施形態も本発明の技術的範囲に含まれる。
【図面の簡単な説明】
【００８３】
【図１】本発明の第１の実施形態に係る電気機器起動システム１００を表すブロック図である。
【図２】受信装置１２０のアナログフロントエンド部１２９での入力レベルの一例を示す表である。
【図３】整流器１２２および増幅器１２３の一例を表す回路図である。
【図４】判別器１２５の構成の一例を示す回路図である。
【図５】本発明の第２の実施形態に係る電気機器起動システム２００を表すブロック図である。
【図６】整流器２２２の一例を表す回路図である。の一例を表す回路図である。
【図７】整流器２２２で整流される信号を表す図である。
【図８】図８は，無変調の干渉波の半周期分を記載した図面である。
【図９】干渉波と所望波について，（部分Ｑの面積）／２と境界電圧ＶＡの関係の一例を表すグラフである。
【図１０】干渉波と所望波について，（部分Ｑの面積）／２と境界電圧ＶＡの関係の一例を表すグラフである。
【図１１】電気機器起動システム１００，２００での電波状態の一例を示す図である。
【図１２】電気機器起動システム１００，２００での電波状態の一例を示す図である。
【図１３】電気機器起動システム１００，２００での電波状態の一例を示す図である。
【図１４】電気機器起動システム１００，２００の動作手順の一例を表すフロー図である。
【図１５】電気機器起動システム１００，２００の動作手順の一例を表すフロー図である。
【図１６】電気機器起動システム１００，２００の動作手順の一例を表すフロー図である。
【符号の説明】
【００８４】
１００…電気機器起動システム，１１０…送信装置，１２０…受信装置，１２１…アンテナ，１２２…整流器，１２３…増幅器，１２４…フィルタ，１２５…判別器，１２６…制御部，１２７メモリ，１２８タイマ，１３０…電源制御装置，１４０…電気機器
【図１】
2010154338.tif 000003
【図２】
2010154338.tif 000004
【図３】
2010154338.tif 000005
【図４】
2010154338.tif 000006
【図５】
2010154338.tif 000007
【図６】
2010154338.tif 000008
【図７】
2010154338.tif 000009
【図８】
2010154338.tif 000010
【図９】
2010154338.tif 000011
【図１０】
2010154338.tif 000012
【図１１】
2010154338.tif 000013
【図１２】
2010154338.tif 000014
【図１３】
2010154338.tif 000015
【図１４】
2010154338.tif 000016
【図１５】
2010154338.tif 000017
【図１６】
2010154338.tif 000018